(57)【要約】  ワイヤレス通信システムにおける効率的なパケット区別及び転送を促進するシステム及び方法論がここに記述される。ここに記述されるように、識別子又はタグ（例えば、無線ベアラ、論理チャネル、インターネット・プロトコル（ＩＰ）アドレス、など、に対応する）は、パケットに関連するトラフィック・フロー・テンプレート（ＴＦＴ）によって決定されるそれらの宛先に基づいて、それぞれのパケットに適用されることができる。さらに、ＴＦＴに対する関連のクオリティ・オブ・サービス（ＱｏＳ）ポリシーに関係のない仕様において、それぞれのＴＦＴに関連するパケットの送信のために、無線ベアラ、ＩＰアドレス、及び／又は他のリソースを設定するための技術が提供される。リソースの設定において、パケットと、パケットに対応するＴＦＴに関連するリソースとをタグ付けし、低下された必要とされる処理コストで、それらの向かわされる宛先に対してそれぞれのパケットを転送することを推進するための技術がここに記述される。加えて、パケット解析をオフセットし及び／又は端末からこの端末に対してテザリングされる装置へ機能性を転送するための技術がここに記述される。【選択図】  図１
2011530898.tif 000002
【特許請求の範囲】
【請求項１】
パケット宛先のセットにおけるそれぞれのパケット宛先に関連するトラフィック・フロー・テンプレート（ＴＦＴ）を識別することと、
それぞれのパケットに適用されるＴＦＴに基づいて決定されるそれぞれのパケットの宛先に基づいて、前記それぞれのパケットに対して識別子の適用を促進する１以上のフィルタリング・ルールを生成することと、
パケット処理実体に対して前記１以上のフィルタリング・ルールを通信することと
を具備する、方法。
【請求項２】
それぞれのパケットに適用される識別子は、それぞれの別個の無線ベアラに関連する、請求項１の方法。
【請求項３】
前記それぞれの別個の無線ベアラは、少なくとも一つの外部パケット宛先に関連する１以上の端末機器（ＴＥ）無線ベアラ、及び、少なくとも一つの内部パケット宛先に関連する１以上のユーザ機器（ＵＥ）無線ベアラを具備する、請求項２の方法。
【請求項４】
前記通信することは、内部パケット宛先を行き先とするそれぞれのパケットの通信のための１以上のＵＥ無線ベアラのためのリクエストを通信すること、又は、外部パケット宛先を行き先とするそれぞれのパケットの通信のための１以上のＴＥ無線ベアラのためのリクエストを通信すること、の少なくとも一方を具備する、請求項３の方法。
【請求項５】
前記通信するとは、パケット・データ・ネットワーク（ＰＤＮ）コンテキスト生成中に提供されるプロトコル・コンフィグレーション・オプション（ＰＣＯ）のセット内の1以上のフィルタリング・ルールを通信することを具備する、請求項1の方法。
【請求項６】
それぞれのパケットに適用される識別子は、それぞれのパケット宛先に関連するそれぞれの別個のインターネット・プロトコル（ＩＰ）アドレスを具備する、請求項1の方法。
【請求項７】
前記生成することは、予め決定されているパケット宛先に向けられるそれぞれのパケットの転送を促進する１以上のフィルタリング・ルールを生成することを具備し、
前記通信することは、テザリングされる装置に前記１以上のフィルタリング・ルールを通信することを具備する、
請求項１の方法。
【請求項８】
前記予め決められているパケット宛先は、内部パケット宛先である、請求項７の方法。
【請求項９】
前記予め決められているパケット宛先は、外部パケット宛先である、請求項７の方法。
【請求項１０】
サーブするネットワーク要素からそれぞれのパケットを得ることと、
前記テザリングされる装置に前記それぞれのパケットを提供することと、
前記テザリングされる装置から前記予め決定されているパケット宛先に向けられる少なくとも一つのパケットを受けることと
をさらに具備し、前記少なくとも一つのパケットは、前記１以上のフィルタリング・ルールにしたがって前記テザリングされる装置によって転送される、請求項７の方法。
【請求項１１】
1以上のフィルタリング・ルールに準拠するパケット処理実体からのそれぞれのパケットに適用される識別子に関連する情報を受けることをさらに具備する、請求項１の方法。
【請求項１２】
前記受けることは、少なくとも一つの内部パケット宛先を行き先とするそれぞれのパケットの通信のために利用されるＵＥ無線ベアラに関連する識別子に関するパケット処理実体からの情報を受けることを具備する、請求項１１の方法。
【請求項１３】
前記ＵＥ無線ベアラは、前記パケット処理実体から受けられた前記情報内に備えられるフラグ、又は、前記パケット処理実体から受けられた前記情報内に備えられる予約されたクオリティ・オブ・サービス（ＱｏＳ）クラス・インジケータ（ＱＳＩ）、の少なくとも一方を通して、ＵＥ無線ベアラとして識別される、請求項１２の方法。
【請求項１４】
パケットに適用される前記パケットの宛先を示す識別子を持つ前記パケットを受けることと、
前記パケットに適用される前記識別子の少なくとも一部に基づいて、前記パケットの前記宛先を識別することと
をさらに具備する、請求項１１の方法。
【請求項１５】
前記パケットの前記宛先がテザリングされる装置に対応する外部宛先であることを示すことによって前記テザリングされる装置への前記パケットを転送することをさらに具備する、請求項１４の方法。
【請求項１６】
複数のワイヤレス通信装置のうちの少なくとも一つ、又は、１以上のテザリングされる装置に関連するトラフィック・フロー・テンプレート（ＴＦＴ）に関するデータを記憶するメモリと、
それぞれのパケットに関連するＴＦＴに基づいて決定される前記それぞれのパケットの宛先に基づいて、前記それぞれのパケットに対してタグの適用を促進するフィルタリング・ルールを生成し、パケット処理実体に１以上のフィルタリング・ルールを通信するように構成されるプロセッサと
を具備する、ワイヤレス通信装置。
【請求項１７】
それぞれのパケットに適用されるタグは、それぞれの別個の無線ベアラを示すように構成される、請求項１６のワイヤレス通信装置。
【請求項１８】
前記プロセッサは、さらに、前記ワイヤレス通信装置を行き先とするそれぞれのパケットの通信のために１以上のユーザ機器（ＵＥ）無線ベアラの初期化をリクエストし、又は、それぞれの装置を行き先とするそれぞれのパケットの通信のために１以上の端末機器（ＴＥ）無線ベアラの初期化をリクエストするように構成される、請求項１７のワイヤレス通信装置。
【請求項１９】
前記プロセッサは、さらに、パケット・データ・ネットワーク（ＰＤＮ）コンテキスト生成中に提供されるプロトコル・コンフィグレーション・オプション（ＰＣＯ）セット内の１以上のフィルタリング・ルールを通信するように構成される、請求項１６のワイヤレス通信装置。
【請求項２０】
それぞれのパケットに適用されるタグは、それぞれの別個のインターネット・プロトコル（ＩＰ）アドレスを示すように構成される、請求項１６のワイヤレス通信装置。
【請求項２１】
前記パケット処理実体はテザリングされる装置であり、前記フィルタリング・ルールは、前記テザリングされる装置から前記ワイヤレス通信装置まで、前記ワイヤレス通信装置を行き先とするそれぞれのパケットの転送を促進する、請求項１６のワイヤレス通信装置。
【請求項２２】
前記プロセッサは、さらに、前記ワイヤレス通信装置を行き先とするそれぞれのパケットの通信のために利用されるＵＥ無線ベアラに適用されるタグに関連する情報を受けるように構成されており、前記情報は、１以上のフラグ・パラメータ又は予約されているクオリティ・オブ・サービス（ＱｏＳ）クラス・インジケータ（ＱＣＩ）を具備する、請求項１６のワイヤレス通信装置。
【請求項２３】
前記プロセッサは、さらに、前記パケットの指定された宛先にタグ付けされたパケットを受け、前記パケットに関連するタグを解析することにより、少なくとも部分で、前記パケットの前記指定された宛先を識別するように構成される、請求項２２のワイヤレス通信装置。
【請求項２４】
装置であって、
それぞれのトラフィック・フロー・テンプレート（ＴＦＴ）と、前記装置と前記装置にテザリングされる少なくとも一つの装置とを含むパケット宛先装置のセットとの間の関連を識別するための手段と、
それぞれの通信されたパケットに関連するＴＦＴに基づいてそれぞれの通信されるパケットの宛先装置を示すそれぞれの通信されるパケットに対して識別子の適用を促進するそれぞれのルールを構成するための手段と
を具備する、装置。
【請求項２５】
それぞれの通信されるパケットに適用される識別子は、それぞれの別個の無線ベアラを示すように構成される、請求項２４の装置。
【請求項２６】
前記構成するための手段は、
前記装置を行き先とするそれぞれのパケットに関連する１以上のユーザ機器（ＵＥ）ベアラの初期化のための前記装置に関連するネットワークへのリクエストを構築するための手段、又は、
前記装置に対してテザリングされる少なくとも一つの装置を行き先とするそれぞれのパケットに関連する１以上の端末機器（ＴＥ）ベアラの初期化のための前記装置に関連するネットワークへのリクエストを構築するための手段、
を１以上具備する、請求項２５の装置。
【請求項２７】
それぞれの通信されるパケットに適用される識別子は、それぞれの個別のインターネット・プロトコル（ＩＰ）アドレスを示すように構成される、請求項２４の装置。
【請求項２８】
前記構築するための手段は、
前記それぞれのパケットが前記装置を行き先とすることを決定することにより、前記装置へのそれぞれのパケットの転送を促進するそれぞれのルールを構築するための手段を具備し、
前記装置は、前記装置に対してテザリングされる装置へそれぞれ構築されたルールを通信するための手段と、サーブするネットワーク要素からそれぞれのパケットを得るための手段と、前記装置に対してテザリングされる装置へ前記それぞれのパケットを提供するための手段と、前記それぞれの構築されたルールにしたがって前記装置に対してテザリングされる装置によって転送される少なくとも一つのパケットを受けるための手段とをさらに具備する、
請求項２４の装置。
【請求項２９】
コンピュータに、それぞれのトラフィック・フロー・テンプレート（ＴＦＴ）と、ローカル装置と前記ローカル装置にテザリングされる少なくとも一つの装置とを具備するパケット宛先のセットとの間の関連を識別させるためのコードと、
コンピュータに、それぞれの通信されるパケットに関連するＴＦＴに基づいて前記通信されるパケットにそれぞれに対応するパケット宛先を示す前記それぞれの通信されるパケットに対して識別子の適用を促進するそれぞれのルールを構築させるためのコードと
を具備する、コンピュータ可読媒体を備えるコンピュータプログラムプロダクト。
【請求項３０】
それぞれのユーザ機器（ＵＥ）無線ベアラ又は端末機器（ＴＥ）無線ベアラと１以上のトラフィック・フロー・テンプレート（ＴＦＴ）の関連のリクエストを受けることと、
前記１以上のＴＦＴに関連するクオリティ・オブ・サービス（ＱｏＳ）ポリシーに関係なく、前記リクエストに基づいて、それぞれのＵＥ無線ベアラ又はＴＥ無線ベアラに、前記１以上のＴＦＴをマップすることと
を具備する、方法。
【請求項３１】
前記マップすることは、存在するＵＥ無線ベアラ又はＴＥ無線ベアラに、前記１以上のＴＦＴの少なくとも部分でマップすることを具備する、請求項３０の方法。
【請求項３２】
前記マップすることは、
１以上の新しいＵＥ無線ベアラ又はＴＥ無線ベアラを生成することと、
それぞれの生成されたＵＥ無線ベアラ又はＴＥ無線ベアラに、前記１以上のＴＦＴの少なくとも部分をマップすることと
を具備する、請求項３０の方法。
【請求項３３】
前記１以上のＴＦＴにマップされたそれぞれのＵＥ無線ベアラ又はＴＥ無線ベアラの指示を含む応答メッセージを送信することをさらに具備する、請求項３０の方法。
【請求項３４】
前記送信することは、ＵＥ無線ベアラとして、それぞれのＵＥ無線ベアラを識別する応答メッセージ内にフラグを埋め込むことを具備する、請求項３３の方法。
【請求項３５】
前記送信することは、ＵＥ無線ベアラとして、それぞれのＵＥ無線ベアラを識別する予約されるＱｏＳクラス・インジケータ（ＱＣＩ）を運ぶために前記応答メッセージを構成することを具備する、請求項３３の方法。
【請求項３６】
前記受けることは、パケット・データ・ネットワーク（ＰＤＮ）コンテキスト生成中に提供されるプロトコル・コンフィグレーション・オプション（ＰＣＯ）セット内のリクエストを受けことを具備する、請求項３０の方法。
【請求項３７】
前記マップすることは、
予め定義されたＴＦＴのセットを識別することと、
前記リクエストにおいて特定されるそれぞれのＴＦＴが前記予め定義されたＴＦＴのセットに含まれるか決定することと、
前記それぞれのＴＦＴに関連するＱｏＣポリシーに関係なく、前記リクエストに基づいて、それぞれのＵＥ無線ベアラ又はＴＥ無線ベアラに、前記予め定義されたＴＦＴのセット内に存在すると決定されたそれぞれのＴＦＴをマップすることと
を具備する、請求項３０の方法。
【請求項３８】
送信されるパケットを識別することと、
前記パケットに関連するＴＦＴを識別することと、
識別されたＴＦＴに関連する無線ベアラ経由で前記パケットを送信することと
をさらに具備する。請求項３０の方法。
【請求項３９】
前記ＴＦＴを識別することは、ＵＥ無線ベアラ又はＴＥ無線ベアラに対して事前にマップされていないＴＦＴを識別することを具備し、
前記送信することは、デフォルト無線ベアラ経由で、前記パケットを送信することを具備する、
請求項３８の方法。
【請求項４０】
ＱｏＣ特性のデフォルトセットにしたがって、１以上のＵＥ無線ベアラ又はＴＥ無線ベアラ経由で、それぞれのパケットを通信することをさらに具備する、請求項３０の方法。
【請求項４１】
それぞれのＵＥ無線ベアラ及びＴＥ無線ベアラは、それぞれの論理チャネル又はインターネット・プロトコル（ＩＰ）アドレスに対応する、請求項３０の方法。
【請求項４２】
それぞれのユーザ機器（ＵＥ）無線ベアラ又は端末機器（ＴＥ）無線ベアラとの関連のためにリクエストされる１以上のトラフィック・フロー・テンプレート（ＴＦＴ）に関するデータを記憶するメモリと、
前記１以上のＴＦＴに関連するクオリティ・オブ・サービス（ＱｏＣ）ポリシーに関係なく、それぞれのＵＥ無線ベアラ又はＴＥ無線ベアラに、前記１以上のＴＦＴをマップするように構成されるプロセッサと
を具備する、ワイヤレス通信装置。
【請求項４３】
前記プロセッサは、さらに、前記１以上のＴＦＴにマップされるそれぞれのＵＥ無線ベアラ又はＴＥ無線ベアラの指示を具備するメッセージを送信するように構成され、前記指示は、前記メッセージ内に埋め込まれるフラグ又は予約されたＱｏＣクラス・インジケータの少なくとも一つを具備する、請求項４２のワイヤレス通信装置。
【請求項４４】
前記プロセッサは、さらに、予め定義された許可ＴＦＴのセットを識別し、それぞれのＵＥ無線ベアラ又はＴＥ無線ベアラとの関連のためにリクエストされるそれぞれのＴＦＴが、前記予め定義された許可ＴＦＴのセット内に含まれるか決定し、前記それぞれのＴＦＴに関連するＱｏＣポリシーに関係なく、前記予め定義された許可ＴＦＴのセット内に含まれていると決定されたそれぞれのＴＦＴのためのマッピングを実行するように構成される、請求項４２のワイヤレス通信装置。
【請求項４５】
前記プロセッサは、さらに、送信されるパケットを識別し、前記パケットに関連するＴＦＴを識別し、前記識別されたＴＦＴに関連する無線ベアラ経由で前記パケットを送信するように構成される、請求項４２のワイヤレス通信装置。
【請求項４６】
それぞれのＵＥ無線ベアラ又はＴＥ無線ベアラは、論理チャネル又はインターネット・プロトコル（ＩＰ）アドレスのうちの少なくとも一つに対応する、請求項４２のワイヤレス通信装置。
【請求項４７】
１以上のトラフィック・フロー・テンプレート（ＴＦＴ）とそれぞれの無線ベアラとを関連付けるためのリクエストを識別するための手段と、
それぞれのＴＦＴに関連するシグナル・クオリティ・ポリシーに関係なく、それぞれの無線ベアラに、前記リクエストにおいて提供される前記それぞれのＴＦＴを関連付けるための手段と
を具備する、装置。
【請求項４８】
前記それぞれの無線ベアラは、ユーザ機器（ＵＥ）無線ベアラ又は端末機器（ＴＥ）無線ベアラのうちの少なくとも一つを具備し、
前記装置は、前記１以上のＴＦＴに関連するそれぞれのＵＥ無線ベアラ又はＴＥ無線ベアラを示す情報を送信するための手段をさらに具備し、前記情報は、フラグパラメータ又は予約されたクオリティ・オブ・サービス（ＱｏＳ）クラス・インジケータ（ＱＣＩ）とのうちの少なくとも一つを具備する、
請求項４７の装置。
【請求項４９】
前記関連付けるための手段は、
許可ＴＦＴのセットを識別するための手段と、
前記リクエストにおいて特定されるそれぞれのＴＦＴが、前記許可ＴＦＴのセット内に含まれているか決定するための手段と、
前記それぞれのＴＦＴに関連するシグナル・クオリティ・ポリシーに関係なく、前記許可ＴＦＴのセットに含まれていると決定されたそれぞれのＴＦＴをマップするための手段と
を具備する、請求項４７の装置。
【請求項５０】
コンピュータに、１以上のトラフィック・フロー・テンプレート（ＴＦＴ）とそれぞれの無線ベアラとを関連付けるためのリクエストを識別させるためのコードと、
前記それぞれのＴＦＴに関連するシグナル・クオリティ・ポリシーに関係なく、それぞれの無線ベアラに対して、前記リクエストにおいて提供されるそれぞれのＴＦＴを関連付けさせるためのコードと
を具備する、コンピュータ可読媒体、を具備するコンピュータプログラムプロダクト。
【発明の詳細な説明】
【関連出願】
【０００１】
本願は、そのすべてが参照によってここに組み込まれている、「パケットの第１のタイプをパケットの第２のタイプから分離するための方法及び装置」と題する、２００８年８月８日に出願された米国仮特許出願第６１／０８７，５８８号の利益を主張する。
【背景】
【０００２】
Ｉ．分野
本願は、一般にワイヤレス通信に関し、より詳細には、ワイヤレス通信システム内で通信されるデータを管理するための技術に関する。
【０００３】
ＩＩ．背景
ワイヤレス通信システムは、各種の通信サービスを提供するために広く展開される；例えば、音声、ビデオ、パケットデータ、ブロードキャスト、メッセージサービスは、このような通信システムによって提供されることができる。これらのシステムは、利用可能なシステム資源を共有することによって複数の端末に対する通信を支援可能なマルチプル−アクセスシステムであってもよい。このようなマルチプル−アクセスシステムの例は、符号分割多元接続（ＣＤＭＡ）システム、時分割多元接続（ＴＤＭＡ）システム、周波数分割多元接続（ＦＤＭＡ）システム、及び直交周波数多元接続（ＯＦＤＭＡ）を含む。
【０００４】
一般的に、ワイヤレス・マルチプル−アクセス・通信システムは、複数のワイヤレス端末に対する通信を同時に支援することができる。このようなシステムにおいて、各端末は、フォワード及びリバースリンク上の伝送を介して１以上の基地局と通信することができる。フォワードリンク（又はダウンリンク）は、基地局から端末への通信リンクを言い、リバースリンク（又はアップリンク）は、端末から基地局への通信リンクを言う。この通信リンクは、単一入力単一出力（ＳＩＳＯ）、多数入力単一出力（ＭＩＳＯ）、又は多数入力多数出力（ＭＩＭＯ）を経て確立されるとしてもよい。
【０００５】
各種のワイヤレス通信機器において、共有される又は「分けられる」通信スキームが使用され、ユーザ機器ユニット（ＵＥ）及び／又は他の装置は、１以上の他の装置との接続性を共有するワイヤレス通信ネットワークと通信するために動作可能である。このような場合、データなどの情報は、ＵＥ装置及び／又はそれぞれのパケットの形成においてＵＥ装置の接続性を利用するいずれかの装置及び／又は他の適当なユニットに対して通信されることができる信号方式を制御する。このようなパケットは、ＵＥ装置の接続性を共有するそれぞれの装置に提供される「エントユーザ」アプリケーションと同様に、複数の制御アプリケーション及び／又はＵＥ装置で提供される複数の他のアプリケーション、の双方に関連するとしてもよい。
【０００６】
ある例において、ＵＥは、それぞれに関連する外部装置に対してエンドユーザ・アプリケーション・データグラムを運ぶことと同様に、制御アプリケーション・データグラム又はパケットがＵＥによってローカルに消費されることができるように、制御アプリケーション・データグラム又はパケットを識別するための構成を持つとしてもよい。従来において、ＵＥは、ダウンリンク・フィルタリングに基づいて、全てのダウンリンク・パケット・トラフィックを実質的にフィルタリングし、内部データシンク及び／又はそれぞれの外部装置に対してそれぞれのパケットフローをルーティングすることによって、このことは達成できる。しかしながら、この方式で実行されるようなフィルタリング及びルーティングは、実質上全てのダウンリンクベアラにわたってポート及び／又はプロトコル番号ベースのパケット・フィルタリングを必要とし、高データ速度ネットワーク及び／又は他の機器の場合に極めて複雑になりうることが、認識できる。したがって、少なくとも上記の欠点を軽減するパケット・フィルタリング及び／又はルーティングのための実装技術が望まれる。
【概要】
【０００７】
以下は、各種の態様の基本的な理解を提供するために、主張される事項内容の各種の態様の単純化された概要を提供する。この概要は、すべての熟考された態様の広範囲な概観ではなく、キーや重大な要素を識別することも、このような態様の範囲を描写することも意図しない。その唯一の目的は、後述されるより詳細な記述のために、前置きとして、単純化された形式で示された態様のいくつかの概念を提示することである。
【０００８】
態様にしたがって、方法がここに記述される。方法は、パケット宛先のセットにおけるそれぞれのパケット宛先に関連するトラフィック・フロー・テンプレート（ＴＦＴ）を識別することと、それぞれのパケットに適用されるＴＦＴに基づいて決定されるそれぞれのパケットの宛先に基づいて、それぞれのパケットに対して識別子の適用を促進する１以上のフィルタリング・ルールを生成することと、パケット処理実体に対して１以上のフィルタリング・ルールを通信することとを具備することができる。
【０００９】
ここに記述される第２の態様は、複数のワイヤレス通信装置のうちの少なくとも一つ、又は、１以上のテザリングされる装置（tethered device）に関連するＴＦＴに関するデータを記憶するメモリを具備することができる、ワイヤレス通信装置に関する。ワイヤレス通信装置は、それぞれのパケットに関連するＴＦＴに基づいて決定されるそれぞれのパケットの宛先に基づいて、それぞれのパケットに対してタグの適用を促進するフィルタリング・ルールを生成し、パケット処理実体に１以上のフィルタリング・ルールを通信するように構成されるプロセッサをさらに具備することができる。
【００１０】
第３の態様は、それぞれのＴＦＴと、装置と前記装置に対してテザリングされる少なくとも一つの装置とを含むパケット宛先装置のセットとの間の関連を識別するための手段と、それぞれの通信されたパケットに関連するＴＦＴに基づいてそれぞれの通信されるパケットの宛先装置を示すそれぞれの通信されるパケットに対して識別子の適用を促進するそれぞれのルールを構成するための手段とを具備することができる、装置に関する。
【００１１】
ここに記述される第４の態様は、コンピュータに、それぞれのＴＦＴと、ローカル装置とローカル装置に対してテザリングされる少なくとも一つの装置とを具備するパケット宛先のセットとの間の関連を識別させるためのコードと、コンピュータに、それぞれの通信されるパケットに関連するＴＦＴに基づいて通信されるパケットにそれぞれに対応するパケット宛先を示すそれぞれの通信されるパケットに対して識別子の適用を促進するそれぞれのルールを構築させるためのコードとを具備する、コンピュータ可読媒体を備えることができるコンピュータプログラムプロダクトに関する。
【００１２】
ここに記述される第５の態様は、ワイヤレス通信システムにおいて動作可能な方法に関する。方法は、それぞれのユーザ機器（ＵＥ）無線ベアラ又は端末機器（ＴＥ）無線ベアラと１以上のＴＦＴの関連のためのリクエストを受けることと、１以上のＴＦＴに関連するクオリティ・オブ・サービス（ＱｏＳ）ポリシーに関係なく、リクエストに基づいて、それぞれのＵＥ無線ベアラ又はＴＥ無線ベアラに、１以上のＴＦＴをマップすることとを具備することができる。
【００１３】
ここに記述される第６の態様は、それぞれのユーザ機器（ＵＥ）無線ベアラ又は端末機器（ＴＥ）無線ベアラとの関連のためにリクエストされる１以上のＴＦＴに関するデータを記憶するメモリを具備することができる、ワイヤレス通信装置に関する。ワイヤレス通信装置は、１以上のＴＦＴに関連するＱｏＣポリシーに関係なく、それぞれのＵＥ無線ベアラ又はＴＥ無線ベアラに、１以上のＴＦＴをマップするように構成されるプロセッサをさらに含む。
【００１４】
第７の態様は、１以上のＴＦＴとそれぞれの無線ベアラとを関連付けるためのリクエストを識別するための手段と、それぞれのＴＦＴに関連するシグナル・クオリティ・ポリシーに関係なく、それぞれの無線ベアラに、リクエストにおいて提供されるそれぞれのＴＦＴを関連付けるための手段とを具備することができる、装置に関する。
【００１５】
ここに記述される第８の態様は、コンピュータに、１以上のＴＦＴとそれぞれの無線ベアラとを関連付けるためのリクエストを識別させるためのコードと、それぞれのＴＦＴに関連するシグナル・クオリティ・ポリシーに関係なく、それぞれの無線ベアラに対して、リクエストにおいて提供されるそれぞれのＴＦＴを関連付けさせるためのコードとを具備する、コンピュータ可読媒体、を含むことができるコンピュータプログラムプロダクトに関する。
【００１６】
上述及び関連される限度の業績のため、主張される事項内容の１以上の態様は、以下に十分に記述され及び特に請求項に指摘される特徴を備える。以下の記述及び付加された図面は、主張される事項内容のある実例となる態様を詳細に述べる。しかしながら、これらの態様は、主張される事項内容の原理が使用される各種方法のうちのいくつかだけを示す。さらに、開示された態様は、すべてのそのような態様及びそれらの等価物を含むように意図される。
【図面の簡単な説明】
【００１７】
【図１】図１は、各種の態様に係る、ワイヤレス通信ネットワーク、関連するユーザ機器ユニット、それぞれのテザリングされる装置の間でデータをルーティングするためのブロック図である。
【図２】図２は、各種の態様に係る、パケット区別（differentiation）のためのフィルタリング・ルールを初期化するためのシステムのブロック図である。
【図３】図３は、各種の態様に係る、パケット区別及び転送（forwarding）のための無線ベアラのセットを利用するためのシステムのブロック図である。
【図４】図４は、各種の態様に係る、パケット・ルーティングのための無線ベアラを初期化するためのそれぞれの技術を例示する図である。
【図５】図５は、各種の態様に係る、パケット・ルーティングのための無線ベアラを初期化するためのそれぞれの技術を例示する図である。
【図６】図６は、各種の態様に係る、無線ベアラ・セットアップ手順のコンテキストに利用できるメッセージ構造例を示す。
【図７】図７は、各種の態様に係る、無線ベアラ・セットアップ手順のコンテキストに利用できるメッセージ構造例を示す。
【図８】図８は、各種の態様に係る、パケット・ルーティングのための無線ベアラを初期化するための技術のさらなる例を示す。
【図９】図９は、各種の態様に係る、パケット区別及び転送のためのインターネット・プロトコル・アドレスのセットを利用するためのシステムのブロック図である。
【図１０】図１０は、各種の態様に係る、パケット・ルーティングのためのインターネット・プロトコル・アドレスを初期化するための技術例を示す図である。
【図１１】図１１は、各種の態様に係る、パケット転送のためのテザリングされる装置を構成するためのシステムのブロック図である。
【図１２】図１２は、ワイヤレス通信システムにおける効率的なパケット区別及び転送を構成するための方法論のフロー図である。
【図１３】図１３は、ワイヤレス通信システムにおける効率的なパケット区別及び転送を構成するための方法論のフロー図である。
【図１４】図１４は、ワイヤレス通信システムにおける効率的なパケット区別及び転送を構成するための方法論のフロー図である。
【図１５】図１５は、予め構成されたフィルタリング・ルールのセットに応じて受信されたパケットを処理するための方法論のフロー図である。
【図１６】図１６は、複数のパケットに対するパケットの伝送のためのそれぞれの無線ベアラを設定するための方法論のフロー図である。
【図１７】図１７は、ワイヤレス通信システムにおけるパケット区別及び転送を促進するシステムのブロック図である。
【図１８】図１８は、ワイヤレス通信システムにおけるパケット区別及び転送を促進するシステムのブロック図である。
【図１９】図１９は、ここで述べられた各種の態様のセットに係る、ワイヤレス・マルチプル・アクセス通信システムを例示する。
【図２０】図２０は、ここで説明された各種の態様が機能することができるワイヤレス通信システムの例を示すブロック図である。
【詳細な説明】
【００１８】
主張される事項内容の各種の態様は、図面の参照を用いて記述され、同様な参照番号は、終始、同様の要素を参照するために使用される。以下の記述において、説明の目的のために、多数の特定の詳細は、１つ以上の態様についての詳細な理解を提供するために述べられる。しかしながら、そのような態様がこれらの特定の詳細なしで実行できることは、明確であってもよい。他の実例において、よく知られた構成及び装置が、１以上の態様を記述することを促進するためにブロック図の形式で示される。
【００１９】
本出願で使用された、用語「コンポーネント」、「モジュール」、「システム」などは、ハードウェア、ファームウェア、ハードウェアとソフトウェアの組み合わせ、ソフトウェア、あるいは、実行中のソフトウェアのいずれか、コンピュータ関連の実体を参照するように意図される、例えば、コンポーネントは、プロセッサ上で作動するプロセス、集積回路、オブジェクト、実行可能な、実行のスレッド、プログラム、及び／又はコンピュータでありえるが、限定されない。実例として、コンピューティング装置上で作動するアプリケーションとコンピューティング装置との双方は、コンポーネントになりえる。１以上のコンポーネントは、実行のプロセス及び／又はスレッド内に存在し、コンポーネントは、１つのコンピュータに局在化させることができ、及び／又は、２以上のコンポーネントの間に分布させることができる。加えて、これらのコンポーネントは、各種のデータ構造を持ち、記憶する各種のコンピュータ可読媒体から実行することができる。コンポーネントは、例えば、１以上のデータパケット（例えば、ローカルシシステム、分散システムにおいて他のコンポーネントと相互作用するあるコンポーネントから、及び／又は、信号として、他のシステムを備えるインターネットのようなネットワークを渡る、データ）にしたがって、ローカル及び／又はリモートプロセスとして通信することができる。
【００２０】
さらに、各種の態様は、無線端末及び／又は基地局に関してここに記述される。無線端末は、ユーザにボイス及び／又はデータの接続性を供給する装置を示すとしてもよい。ワイヤレス端末は、ラップトップ・コンピュータ又はデスクトップ・コンピュータのようなコンピューティング装置に接続することができるとしてもよく、又は、それは、携帯情報端末（ＰＤＡ）のような自己包含装置であるとしてもよい。ワイヤレス端末は、また、システム、加入者ユニット、加入者局装置、移動局、移動体、リモート局、アクセスポイント、リモート端末、アクセス端末、ユーザ端末、ユーザエージェント、ユーザ装置、又はユーザ機器（ＵＥ）と呼ぶことができる。ワイヤレス端末は、加入者局装置、ワイヤレス装置、携帯電話、ＰＣＳ電話、コードレス電話機、セッション設定プロトコル（ＳＩＰ）電話、ワイヤレス・ローカル・ループ（ＷＬＬ）ステーション、携帯情報端末（ＰＤＡ）、無線接続能力を持っているハンドヘルド装置、又は無線モデムに接続された他の処理装置になりえる。基地局(例えばアクセスポイント又はノードＢ)は、ワイヤレス端末とともに、１以上のセクタを通って、エア・インタフェース上で通信するアクセス・ネットワークにおける装置を示すとしてもよい。基地局は、受信されたエア・インタフェース・フレームをＩＰパケットに変換することにより、ワイヤレス端末とアクセス・ネットワークの残りとの間のルータとして働くことができ、ここでアクセス・ネットワークは、インターネット・プロトコル（ＩＰ）ネットワークを含むとしてもよい。基地局は、さらにエア・インタフェースのための属性の管理を調整する。
【００２１】
さらに、ここに記述された各種の機能は、ハードウェア、ソフトウェア、ファームウェア、又は、それらの任意の組み合わせで実装することができる。もしソフトウェアで実装されると、機能は、コンピュータ可読媒体上の１以上の指示又はコードとして記憶又は送信されるとしてもよい。コンピュータ可読媒体は、コンピュータ記憶媒体と、ある場所から他へコンピュータプログラムの転送を促進する任意の媒体を含む通信媒体との双方を含む。記憶媒体は、コンピュータによってアクセスすることができる任意の利用可能な媒体としてもよい。例として、及び制限ではなく、このようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、指示又はデータ構造の形式で所望のプログラムコードを運ぶ又は記憶するために使用されることができ、コンピュータによってアクセスされることができる任意の他の媒体を含むとしてもよい。また、任意のコネクションは、適切にコンピュータ可読媒体と名付けられる。例えば、もしソフトウェアが、同軸ケーブル、光ファイバケーブル、ツイストペア、デジタル加入者線（ＤＳＬ）、又は、赤外線、無線及びマイクロ波のようなワイヤレス技術を用いてウェブサイト、サーバ、又は他のリモートソースから転送される場合、同軸ケーブル、光ファイバケーブル、ツイストペア、ＤＳＬ、又は、赤外線、無線及びマイクロ波のようなワイヤレス技術は、媒体の定義に含まれる。ディスク（Ｄｉｓｋ）とディスク（Ｄｉｓｃ）は、ここで使用される場合、コンパクト・ディスク（ＣＤ）、レーザーディスク（登録商標）、光ディスク、ディジタル・バーサタイル・ディスク（ＤＶＤ）、フロッピー（登録商標）ディスク及びブルーレイ・ディスク（ＢＤ）を含み、ここでディスク（ｄｉｓｋ）は通常磁気的にデータを再生し、ディスク（ｄｉｓｃ）はレーザーでデータを光学的に再生する。上記の組み合わせもコンピュータ可読媒体の範囲内で含まれるべきである。
【００２２】
ここに記述される各種の技術は、符号分割多元接続（ＣＤＭＡ)システム、時分割多元接続（ＴＤＭＡ）システム、周波数分割多元接続（ＦＤＭＡ）システム、直交周波数多元接続（ＯＦＤＭＡ）システム、シングル・キャリアＦＤＭＡ（ＳＣ−ＦＤＭＡ）システム、及び他のそのようなシステムのような、各種のワイヤレス通信システムに使用されてもよい。「システム」及び「ネットワーク」という用語はしばしばここで交換可能に使用される。ＣＤＭＡシステムは、ＵＴＲＡ（Univarsal Terrestrial Radio Access）、ＣＤＭＡ２０００などのような、ワイヤレス技術を実装することができる。ＵＴＲＡは、広帯域のＣＤＭＡ（Ｗ−ＣＤＭＡ）及びＣＤＭＡの他の変形を含む。加えて、ＣＤＭＡ２０００は、ＩＳ−２０００、ＩＳ−９５、及びＩＳ−８５６標準をカバーする。ＴＤＭＡシステムは、グローバル移動体通信システム（ＧＳＭ（登録商標））のような無線技術を実装するとしてもよい。ＯＦＤＭＡシステムは、Ｅ−ＵＴＲＡ（Evolved UTRA）、ＵＭＢ（Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）、などのような無線技術を実装するとしてもよい。ＵＴＲＡ及びＥ−ＵＴＲＡは、ユニバーサル・モバイル・テレコミュニケーション・システム（ＵＭＴＳ）の一部である。ＬＴＥ（3GPP Long Term Evolution）は、Ｅ−ＵＴＲＡを使用するアップカミング・リリースであり、ダウンリンクでＯＦＤＭＡ及びアップリンクでＳＣ−ＦＤＭＡを使用する。ＵＴＲＡ、Ｅ−ＵＴＲＡ、ＵＭＴＳ、ＬＴＥ及びＧＳＭは、３ＧＰＰ（3rd Generation Partnership Project）という名の組織からのドキュメントに記述される。さらに、ＣＤＭＡ２０００とＵＭＢは、３ＧＰＰ２（3rd Generation Partnership Project 2）という名の組織からのドキュメントに記述される。
【００２３】
各種の態様は、多数の装置、コンポーネント、モジュールなどを含むことができるシステムの点から提供されるだろう。各種のシステムが付加的な装置、コンポーネント、モジュールなどを含むとしてもよく、及び／又は、図面に関して議論されるすべての装置、コンポーネント、モジュールなどを含むとは限らないことは、理解及び認識されるだろう。これらのアプローチの組み合わせは、また使用することができる。
【００２４】
図面を今参照すると、図１は、ここに記述される各種の態様に係る、ワイヤレス通信ネットワーク（例えば、ネットワーク装置１１０と関連する）、関連するユーザ機器ユニット（ＵＥ）１２０、及びそれぞれのテザリングされる装置１３０の間でデータをルーティングするためのシステム１００を例示する。システム１００によって例示されるように、ネットワーク装置又はエレメント１１０は、システム１００においてそれぞれの装置にデータ通信機能性を提供するために利用されることができる、Ｅ−ＵＴＲＡＮ（Evolved UMTS (Universal Mobile Telecommunication system) Terrestrial Radio Access Network）又はそれらの部分のような、ワイヤレス通信ネットワークに関連する任意の適切な実体又は複数の実体に対応するとしてもよい。例えば、ノードＢ又は発展されたノードＢ（ｅＮＢ、また、基地局、アクセスポイント（ＡＰ）などとしてここで参照される）、ネットワーク・ゲートウェイ実体、システムコントローラなどであり、及び／又は、の機能性を実装する。一例において、ネットワーク装置１１０は、ＵＥ１２０（また、アクセスターミナル（ＡＴ）、モバイル端末、ユーザステーション又は装置などとしてここで参照される)、と通信する１以上のダウンリンク（ＤＬ、また、フォワードリンク（ＦＬ）として参照される）を保証することができ、ＵＥ１２０は、ネットワーク装置１１０と通信する１以上のアップリンク（ＵＬ、また、リバースリンク（ＲＬ）として参照される）を保証することができる。
【００２５】
ある態様において、ＵＥ１２０は、ＵＥ１２０に関連する１以上のテザリングされる装置１３０に対するネットワーク接続性を提供するために利用されることができる。テザリングされる装置１３０は、例えば、デスクトップ、ラップトップ、及び又はタブレットコンピュータ；携帯情報端末（ＰＤＡ）;スマートフォン;及び／又は任意の他の適切な装置のような、コンピュータを含むことができる。ある例において、ＵＥ１２０は、ネットワーク・インタフェース・モジュール１２２及び／又は他の適切な手段によってネットワーク装置１１０と、及び、テザリング・インタフェース１２４を通じてそれぞれのテザリングされる装置１３０と、接続的に連結されることができる。テザリング・インタフェース１３０は、パーソナルコンピュータメモリーカード国際協会（ＰＣＭＣＩＡ）の接続、ユニバーサル・シリアル・バス（ＵＳＢ）接続、Ｂｌｕｅｔｏｏｔｈ（登録商標）及び／又は他の適切な無線パーソナルエリアネットワーク（ＷＰＡＮ）接続、Ｗｉ−Ｆｉ（例えばＩＥＥＥ８０２．１１）接続、及び／又は、他の適切な接続様式又は複数の様式のような、任意の接続型を使用してＵＥ１２０とテザリングされる装置１３０との間でテザリングを促進するできることが認識できる。さらに、ＵＥ１２０は、移動電話ハンドセット、モデム・チップセット、スタンド・アロン・ネットワーク・アダプタなどのような、任意の適切な装置又は装置コンポーネント、と関連付けられ及び／又は実装されるとしてもよい。他の例において、ＵＥ１２０は、ここに記述される、及び／又は、ネットワーク装置１１０経由でそれぞれのテザリングされる装置１２０とインターネットとの間の接続性を提供するための一般に知られた技術のようなＩＣＳ（Internet Connection Sharing）のための技術を用いることができる。
【００２６】
上述のように、ＵＥ１２０は、テザリング・インタフェース１２４によって、それぞれのテザリングされる装置１３０を持つネットワーク装置１１０に対する接続性を共有するために、共有される又は分離されるＵＥとして、実装されることができる。このような例において、ＵＥ１２０は、ＵＥ１２０自体に関連するインターネット・プロトコル（ＩＰ）スタックでホストされる「制御アプリケーション」クライアントに加えて、「エンドユーザ」アプリケーション又は１以上のテザリングされる装置１３０のＩＰスタックでホストされるクライアントに関する情報を通信するように構成されるとしてもよい。ＵＥ１２０がローカルに情報を消費することができるための制御アプリケーションの例は、ＤＨＣＰ（dynamic host configuration protocol）アプリケーション、ポジション・ロケーション・アプリケーション（例えば、ＳＵＰＬ（secure user plane location）など）、パケットが、ユーザ局面、モバイルＩＰ（ＭＩＰ）及び／又はＲＳＶＰ（reservation protocol）アプリケーションに届くためのＳＯＮ（self-organized network）オペレーション、などを含む。
【００２７】
ある例において、パケット・ルーティング・モジュール１１２及び／又はネットワーク装置１１０の別の適切な機構は、ＵＥ１２０によって利用される制御アプリケーションとそれぞれのテザリングされる装置１３０によって利用されるエンド・ユーザ・アプリケーションの双方に関するＵＥ１２０へのダウンリンクでそれぞれのデータグラム又はパケットを通信するように構成されることができる。続いて、ＵＥ１２０のパケット・アナライザ１２６は、制御アプリケーション・ダウンリンクＩＰデータグラムとエンド・ユーザ・アプリケーションＩＰデータグラムとの間を識別及び区別できる。ある例において、この解析は、それぞれのトラフィック・フロー・テンプレート（ＴＦＴ）及び／又はそれぞれのデータグラム又はパケットに関連する他の情報に基づくことができる。特に、ＴＦＴは、パケットのＴＣＰ（Transmission Control Protocol）／ＩＰヘッダ、及び／又は、ＵＥ１２０又はテザリングされる装置１３０のいずれかに関連するようなパケットを識別する１以上の他のフィールドの部分を識別するためにデータグラム又はパケットのコンテキストで使用されるとしてもよい。ある例において、ＴＦＴは、ＵＥ１２０及び／又は他の適切な要因で実行するアプリケーションの機能としてＵＥ１２０で実装依存になりえる。別の例において、それぞれのパケットに関連するＴＦＴ及び／又は他の情報に基づいて、パケット・アナライザ１２６は、それぞれのパケットの宛先に対応する１以上のＴＦＴと調和するそれぞれのパケット内のパターンを識別することを試みることができる。この解析に基づいて、パケット・フォワーダ（転送部）１２８は、コントロール・アプリケーションＩＰデータグラムのローカルの消費を促進するために、及び／又は、適切なテザリングされる装置１３０にそれぞれのエンドユーザ・アプリケーションＩＰデータグラムを配達するために、ＵＥ１２０によって利用することができる。
【００２８】
既存のパケット解析技術を使用すると、パケット・アナライザ１２６は、実質的にすべてのダウンリンクＩＰトラフィックをフィルタリングすることと、ダウンリンク・フィルタリングに基づいて、ＵＥ１２０及び／又はそれぞれのテザリングされる装置１３０のＩＰスタックに、対応するＩＰフローを送ることをパケット・フォワーダ１２８に命令すること、とによって上記の終了を達成することができる。しかしながら、上に記述されるような既存のパケット解析技術に基づいてフィルタリングすることが、ネットワーク装置１１０から到着する各パケットを解析するためのパケット・アナライザ１２６を必要としてもよいことは、認識されうる。ポート及び／又はプロトコル番号ベースのパケット・フィルタリングは、いくつかの場合に実質的にすべてのダウンリンクベアラにわたって必要とされてもよく、高データレートネットワーク及び／又は他のネットワーク実装の場合のオペレーション上の複雑さを著しく増加させることができる。複雑さの増加は、増加される処理オーバーヘッド、低下されるＵＥ及び又はネットワークのスループット、及び／又は他のシステム１００の性能の負の効果が結果として発生しえる。さらに、専門のハードウェア・エンジンが、いくらか及び／又はすべてのパケット解析及び／又はルーティングを実行するために利用することができる場合、そのような実装がＵＥの複雑さ、製造コストなどの不適当な増加を必要とすることは認識できる。
【００２９】
ある態様にしたがって、システム１００は、それぞれのパケットの指定された宛先に基づいてシステム１００内で通信されるそれぞれのパケットに対する別個の識別子の適用を促進することによって上に記述された既存のパケット区別及びルーティング技術の欠点を少なくとも緩和することができる。ある例において、それぞれのパケットに適用される識別子は、それぞれのパケットが宛先に基づいて通信される上で、別個の無線ベアラ、論理チャネル、ＩＰアドレスなどに対応するとしてもよい。例において、別々のベアラは、ＵＥ１２０に行き先の定められたコントロール・アプリケーション・トラフィック、及びテザリングされる装置１３０に対して行き先の定められたエンド・ユーザー・トラフィックに対して、ネットワーク装置１１０によって提供されることができ、それによって、ＵＥ１２０がパケット・トラフィックの２つのタイプの間で効果的に区別すること、及びその適切な宛先に対して前記トラフィックを転送することを可能にする。さらに、この方法において別個のベアラ、チャネル、ＩＰアドレスなどを利用することによって、テザリングされる装置１３０によって消費される大量のパケットのプロトコル又はポートフィールドを検査することを必要とされることなく、それぞれのパケットを処理及び／又は転送することができるように、パケット区別の複雑さがネットワーク装置１１０へシフトされることができることは認識されうる。このような方法においてそれぞれのパケットの通信が初期化及び／又は利用できる技術は、さらに詳細にここに記述される。
【００３０】
付加的な態様にしたがって、ＵＥ１２０は、１以上のテザリングされる装置１３０に対して、パケット・アナライザ１２６及び／又はパケット・フォワーダ１２８のいくらか又はすべての機能性をオフロードすることが可能である。例えば、テザリングされる装置１３０が、それぞれのパケットを解析し、それらのそれぞれの指定された宛先を決定し、ＵＥ１２０に戻るＵＥ１２０を行き先とするそれぞれのパケットを転送することができるように、ＵＥ１２０は、宛先に関係なく、テザリングされる装置１３０にすべてのパケットを転送するように初期的に構成されるとしてもよい。この方法においてパケット処理及び／又は転送をオフロードするための技術は、さらに詳細にここに付加的に記述される。さらに態様にしたがって、プロセッサ１４２及び／又はメモリは、ここに記述されるいくつか又はすべての機能性及び／又は任意の他の適切な機能性を実装するために、ネットワーク装置１１０、ＵＥ１２０、テザリングされる装置１３０のうちの１以上によって利用されることができる。
【００３１】
次に図２を見ると、各種の態様に係るパケット区別のためのフィルタリング・ルールを初期化するためのシステム２００が例示される。システム１００に関して上に記述されたことと類似の方法で、システム２００は、ネットワーク・インタフェース・モジュール１２２によってネットワーク装置１１０と、テザリング・インタフェース１２４によって１以上のテザリングされる装置１１０と、通信するように動作可能なＵＥ１２０を含むことができる。ある態様にしたがって、ＵＥ１２０は、フィルタ・セットアップ・モジュール２２２を含むことができ、これは、ネットワーク装置１１０でフィルタ構成モジュール２１２によって適用されるフィルタリング・ルールを、生成、及び／又は、さもなけれは識別でき、その結果、ＵＥ１２０からネットワーク装置１１０にパケット区別の負荷をシフトし、ネットワーク装置１１０の必要とされる複雑さを減ずる。
【００３２】
ある例において、フィルタ・セットアップ・モジュール２２２は、システム２００によって利用されるそれぞれのＴＦＴと、それぞれのＴＦＴに対応するパケット宛先(例えばＵＥ１２０又はテザリングされるデバイス１３０)との間の関連性に基づいてフィルタリング・ルールを生成し及び／又はそうでなければ識別することができる。フィルタ・セットアップ・モジュール２２２によって利用されるフィルタリング・ルールは、例えば、それぞれのパケットに関連するＴＦＴに基づいて、ネットワーク装置１１０によって送信されたパケットに対してそれぞれの識別子又はタグの適用を促進するために利用されることができる。それぞれのパケットに適用されるタグは、例えば、論理的なチャネル識別子、及び／又は、任意の他の適切なプロトコル層(例えば、物理（ＰＨＹ）層、ＭＡＣ（medium access control）層、ラジオリンクコントロール（ＲＬＣ）層など)に関連する識別子であるとすることができる。このようなフィルタリング・ルールに基づいて、ネットワーク装置１１０のフィルタ構成モジュール２１２は、ＵＥ１２０へ行き先が定められているパケットのための識別子の第１のセットと、テザリングされる装置１３０へ行き先が定められているパケットのための識別子の第２の別個のセットを利用することができ、これにより、ＵＥ１２０が、パケットに適用される識別子のみを検査することによって、与えられたパケットの指定されている宛先を効率的かつ容易に識別することができる。
【００３３】
ある態様にしたがって、ネットワーク装置１１０は、システム２００に関連するクオリティ・オブ・サービス（ＱｏＣ）ポリシーのいずれか及び／又はフィルタリング・ルールに与えられたＴＦＴに関係なく、実質的にすべての場合において、ＴＦＴとそれぞれのタグ値との間の関連をリクエストするＵＥ１２０からフィルタリング・ルールを受け及び適用するように構成されることができる。代替的には、ネットワーク装置１１０は、ＱｏＣポリシーに関係なく、フィルタリング・ルールが適用されるために予め定義されているＴＦＴのセットを特定する許可ＴＦＴリスト２１４を装備されることができる。許可ＴＦＴリスト２１４がネットワーク装置１１０によって使用されるイベントにおいて、許可ＴＦＴリスト２１４に含まれていないＴＦＴを特定するフィルタリング・ルールは、拒否され、選択的に、ＴＦＴに関連するＱｏＣポリシーに基づいて受理され、及び／又は任意の他の適切な方法で処理されることができる。
【００３４】
例において、ＵＥ１２０は、パケット宛先の機能として、それぞれの無線ベアラへのＴＦＴの関連を促進することができる。このことは、図３のシステム３００で例示されている。システム３００が例示するように、ＵＥ１２０のフィルタ・セットアップ・モジュール２２２は、ベアラ関連リクエスト及び／又は他の適切な情報のセットがネットワーク装置１１０のフィルタ構成モジュール２１２に通信されるネットワーク装置１１０で、リクエスト手順を始めることができる。ある例において、ベアラ関連リクエストは、それぞれの無線ベアラに関連するＴＦＴラベルを指定することができる。ＵＥ１２０へのトラフィックに関連するＴＦＴラベルが、１以上のＵＥベアラに関連付けられることができ、ＵＥ１２０にテザリングされる１以上のＴＥ装置（図示せず）へのトラフィックに関連するＴＦＴラベルが、１以上のＴＥベアラに関連付けられることができるように、これらの無線ベアラは、１以上のＵＥベアラ及び／又は１以上の端末機器（ＴＥ）ベアラを含むことができる。したがって、ネットワーク装置１１０によって（例えばデータソース３１２によって）送信されるデータは、それらの指定された宛先を決定するためにそれぞれのデータパケットを検査するためにパケット・アナライザ１２６を必要とすることなく、データが送信された無線ベアラを決定することにより、受け取りのＵＥ１２０のパケット・アナライザ２６によって解析できる。続いて、パケット・アナライザ１２６によって決定されるように、データが送信される無線ベアラに基づいて、パケット・フォワーダ１２８は、ＵＥ１２０にローカルに関連するデータシンク３２２に及び／又は１以上のＴＥ装置にそれぞれのパケットを提供することができる。
【００３５】
ある態様にしたがって、ＵＥ１２０によって供給されていないフィルタリング・ルールのためのＴＦＴに関連するそれぞれのパケットが、１以上のデフォルトベアラを越えてＵＥ１２０に対して、ネットワーク装置１１０によって送信されることができるように、ネットワーク装置１１０及びＵＥ１２０は、ＵＥベアラ及び／又はＴＥベアラに加えて、１以上のデフォルトベアラを利用するように構成されることができる。デフォルトベアラのデータを受ける場合に、パケット・アナライザ１２６は、パケット・フォワーダ１２８を介してパケットを転送することを促進するための通常知られているような１以上の技術にしたがって、それぞれのパケットを検査し、パケットに対して指定されている宛先を決定することができる。
【００３６】
別の態様にしたがって、ネットワーク装置１１０及びＵＥ１２０は、各種の方法で上述されるような、パケット通信のためのそれぞれの無線ベアラをセットアップ及び利用する動作が可能とすることができる。第１の例において、２つのデフォルトベアラ（例えば、一つのデフォルトＵＥベアラと一つのデフォルトＴＥベアラ）は、予め設定されており、図４のダイヤグラム４００で例示されるように、各パケットデータプロトコル（ＰＤＰ）コンテキストに利用されることができる。ダイヤグラム４００が例示するように、デフォルトＴＥベアラは、時間４０２で予め構成されることができ、１以上のＵＥベアラＴＦＴを満たさないパケットに対応するトラフィックを含む。同様に、デフォルトＵＥベアラは時間４０４で予め構成されることができ、初期的に関連するＴＦＴを持たない。
【００３７】
続いて、時間４０６で、ＵＥは、ＵＥアプリケーションに利用されるＴＦＴを特定する関連するネットワーク要素に、ベアラ割り当てリクエストメッセージを提出することができる。ダイヤグラム４００に示す例において、ＴＦＴ１及びＴＦＴ２が明記されている。ネットワーク要素は、時間４０８でこのメッセージの肯定応答(Ａｃｋ)を提供することができる。時間４１０で、ネットワークは、特定されたＴＦＴを運ぶために１以上のＵＥベアラを構成することにより、時間４０６で提出されたベアラリクエストに作用することができる。例えば、ダイヤグラム４００に示されるように、ネットワークは、ＴＦＴ１は存在するデフォルトＵＥベアラで送信されるとし、新しいベアラ（例えばＢ２）はＴＦＴ２のために生成されるように、時間４１０で決定する。しかしながら、任意の適切な方法において、時間４１０で、ネットワークが、同様に、デフォルトベアラ及び／又は新しく生成されるベアラの任意の数に、ＴＦＴを配置することができたことが、認識されるべきである。
【００３８】
時間４１０でネットワークによって行われた決定にしたがって、デフォルトＵＥベアラは、時間４１２で構成されることができ、ＴＦＴ１に関連するパケットを含む。加えて、
ネットワーク要素は、ベアラＢ２の同一性を特定する時間４１４で、起動する専用ＥＰＳ（Evolved Packet System）ベアラ・コンテキスト・リクエスト・メッセージを提出することにより、新しいベアラB２を設定することができ、それは時間４１６にＵＥによって応答されることができる。ベアラＢ２の設定において、ベアラＢ２は、時間４１８でＴＦＴ２に関連するパケットを含むように構成されることができる。
【００３９】
次の例において、ＵＥ１２０は、それぞれのＴＦＴのために個別のベアラをリクエストでき、図５のダイヤグラム５００に示されるように、一般化デフォルトベアラは、予め設定及び使用されることができる。ダイヤグラム５００が例示するように、デフォルトベアラは、時間５０２で設定され、任意の設定されているＵＥベアラＴＦＴと整合しないパケットに関連付けされるとしてもよい。時間５０２−５０４で、ダイヤグラム４００で例示されるような時間４０６−４０８に関する先の記述と同様の方法において、ＵＥアプリケーションに関連するそれぞれのＴＦＴに対するベアラリソース割り当てリクエストは、ＵＥに対するサーブするネットワーク要素に提出され、及び、サーブするネットワーク要素によって応答されることができる。次に、時間５０８で、ネットワークは、ＵＥのリクエストに応じて生成される１以上の新しいベアラ（例えばベアラＢ２）を決定することができる。ネットワークの決定に基づいて、それぞれのＵＥベアラは、ダイヤグラム４００における時間４１４−４１６に関する先の記述と同様の方法において、時間５１０−５１２で設定されることができ、時間５１４で、生成されたベアラＢ２はそれぞれのＵＥアプリケーションＴＦＴ（例えばＴＦＴ１及びＴＦＴ２）に関連するパケットを含むように構成されることができる。ダイヤグラム５００に関して、ダイヤグラム５００がＵＥからのベアラ割り当てリクエストに応じた新しいＵＥベアラＢ２の生成を例示するが、ダイヤグラム５００によって例示されるのと同様の技術がＴＥベアラ及び／又は任意の他の適切なベアラのタイプの設定のために使用可能であることは、認識されるべきである。
【００４０】
ある態様にしたがって、ダイヤグラム４００−５００に示されるように通信されるそれぞれのメッセージタイプのために利用されることができる構造の例は、図６のメッセージ構造６００及び図７のメッセージ構造７００によってさらに詳細に例示される。特に、メッセージ構造６００は、ベアラリソース割り当てリクエストメッセージの構造例を示し、これは、専用ベアラリソースの割り当てをリクエストするためにサーブするネットワークへＵＥによって通信されることができる。付加的に又は代替的に、メッセージ構造７００は、専用ＥＰＳ・ベアラ・コンテキスト・リクエスト・メッセージの構造例を示し、これは、常時起動デフォルト・ＥＰＳ・ベアラ・コンテキストとして、同じパケット・データ・ネットワーク（ＰＤＮ）アドレス及び／又はアクセスポイント・ネーム（ＡＰＮ）に関連する専用ＥＰＳ・ベアラ・コンテキストの起動をリクエストするために、関連するＵＥへネットワーク要素によって通信されることができる。
【００４１】
別の態様にしたがって、ワイヤレス通信システムにおけるそれぞれの装置によって利用される非デフォルトベアラは、ＵＥベアラ又はＴＥベアラとしてタグ付けされることができる。さらに、ＵＲベアラ又はＴＥベアラとして与えられるベアラのステータスは、ベアラが初期化される時に、ＮＡＳ（non-access stratum）シグナリングを使用して信号が送られることができる。第１の特定の例において、メッセージ構造６００は、ベアラがリクエストされる時間に、ＵＥベアラとして、所望のベアラを表すためにＵＥによって利用されることができる。したがって、メッセージ構造６００によって示されるように、ベアラリソース割り当てリクエストメッセージは、それぞれのＴＦＴの識別のためのフィルタ及び対応するフラグ、及び／又は前記ＴＦＴがＵＥベアラの割り当てのためにリクエストされる他の指示を含むことができる。それぞれのフィルタに対応するメッセージ構造６００に提供されるフラグ及び／又は他の指示は、例えば、UE_Bearer_Requested bit、及び／又は、対応するフィルタがＵＥベアラとして設計されるベアラに付され、サーブするネットワークに指示するためにセットされることができる他の適切なインジケータを含むことができる。あるいは、関連するネットワークが、予約されているＱｏＣクラスインジケータ（ＱＣＩ）パラメータに関するフィルタを受け、それぞれの制御アプリケーション又はＵＥベアラの対応するフィルタされたトラフィックを置くように構成されることができるように、ＵＥは、ベアラ割り当てリクエストにおいてＵＥベアラの指示のために予約されている予め決定されているＱＣＩを利用することができる。
【００４２】
他の特定の例において、メッセージ構造７００は、ＵＥベアラとして割り当てられているベアラを表すためのネットワーク要素によって利用されることができる。特に、メッセージ構造７００によって示されるように、起動する専用ＥＰＳ・ベアラ・コンテキスト・リクエスト・メッセージは、ＵＥベアラとしてそれぞれの識別されるベアラを示すそれぞれのパラメータと共に設定されているベアラの１以上の識別子を含むことができる。ＵＥベアラとしてベアラを示すために利用されるパラメータは、例えば、フラグパラメータ(例えば上述されるようなUE_Bearer_Requested bitと同様のフラグ)、ＵＥベアラの指示に対して予約されている予め決定されているＱＣＩパラメータなどを含むことができる。ある例において、メッセージ構造６００及び／又は７００の部分として提供される予約のＱＣＩパラメータは、厳密なＱｏＣプロパティ（特性）を中継しないように構成することができる。代わりに、ある例において、ネットワークがデフォルトＱｏＣプロパティを利用でき又は優れたＱｏＣプロパティを提供できるように、関連するワイヤレス通信システムによって利用されるＵＥベアラは、デフォルトＱｏＣプロパティを用いて構成されることができる。
【００４３】
システム３００によって利用されることができるオペレーティング技術の第３の例において、ＵＥ１２０及びネットワーク装置１１０は、ＰＤＮコンテキスト生成の時に、それぞれのＵＥベアラ、ＴＥベアラ、などを設定するように構成されることができる。ある例において、ＵＥ及び関連するネットワーク要素は、ＰＤＮコンテキスト生成時に、ＵＥとネットワーク要素との間でＰＤＮ接続を設定するための１以上の初期処理を実行することができる。例えば、ＵＥは、ＤＨＣＰ（Dynamic Host Configuration Protocol）オプション、ＩＰ及び／又はＤＮＳ（Domain Name System）アドレスを設定するための手順など、ネットワークに送信されるそれぞれの初期パケットに利用されるそれぞれのプロトコル構成オプション（ＰＣＯ又は「ＰＣＯオプション」）を指定することができる。
【００４４】
ある態様にしたがって、ＰＤＮコンテキスト生成の間のＵＥによって通信されるＰＣＯオプションは、それぞれの専用ＵＥ及び／又はＴＥベアラのためのリクエストを含むことができる。このことは、図８のダイヤグラム８００によって例示される。ダイヤグラム８００が例示するように、ＵＥは、時間８０２で、初期的に、ネットワーク要素とのＰＤＮ接続を設定するために関連するネットワーク要素にＰＤＮ接続性リクエストメッセージを提出することができる。メッセージは、フラグ、及び／又は、ＵＥベアラ及び（選択的に）ＵＥベアラのためのそれぞれのＴＦＴ（ＴＦＴ１）のリクエストを示す他の適切なＰＣＯインジケータを含むことができる。時間８０４で、ネットワークは、ＵＥベアラ及びＴＦＴ１(もし提供されれば)の受理を示す肯定応答を用いてそのメッセージに応答することができる。ＰＣＯオプションの受理において、ネットワークとＵＥは、時間８０６で、デフォルトＵＥベアラ及びデフォルトＴＥベアラを生成することができる。したがって、デフォルトＴＥベアラは、時間８０８で、ＵＥベアラＴＦＴと整合しないパケットを含むように構成されることができ、また、デフォルトＵＥベアラは、時間８１０で、初期的に、それらに関連するパケットを持たないように構成されることができる。時間８０８−８１０のベアラの構成において、それぞれのベアラに関連付けられたＴＦＴのさらなる交渉は、ここに記述されるようなそれぞれの技術にしたがって、時間８１２で発生することができる。
【００４５】
図９を次に参照すると、各種の態様に係る、パケット区別及び転送に対してインターネット・プロトコル・アドレスのセットを利用するためのシステム９００のブロック図が例示される。図３のシステム３００と同様の仕様において、システム９００は、関連するネットワーク装置１１０でフィルタ構成モジュール２１２に、ＴＦＴフィルタリングのためのリクエストを通信するためのフィルタ・セットアップ・モジュールを利用することができるＵＥ１２０を含むことができる。システム９００がさらに例示するように、フィルタ・セットアップ・モジュール２２２は、別個のＩＰアドレスに対するそれぞれのパケット宛先に関連するＴＦＴの接続を促進するネットワーク装置１１０に、ＩＰアドレス接続リクエストを供給するように構成することができる。通信されるＩＰアドレス接続リクエストに基づいて、パケット・ルーティング・モジュール１１２は、パケット及び／又は他の情報（例えば、データソース３１２から得られるような）を、ＩＰアドレスのセットによって、ＵＥ１２０に通信することができる。ある例において、それぞれのＩＰアドレスがそれぞれのパケット宛先に対応するように、パケット・アナライザが、パケットに関連するＩＰアドレスを検査することによって与えられたパケットの指示されている宛先を決定し、パケット・フォワーダ１２８によって、ローカルのデータシンク３２２及び／又は１以上のテザリングされる装置（図示せず）に、パケットの転送を促進するように、フィルタは、ＵＥ１２０とネットワーク装置１１０との間をセットアップするとしてもよい。
【００４６】
ある態様にしたがって、ＵＥ１２０は、共通のパケットゲートウェイ（ＰＧＷ）及び／又はネットワーク装置１１０の他の適切な要素又は複数の要素に対する複数のそれぞれのＰＤＰコンテキストを設定することにより、複数のＩＰアドレスに関してそれぞれのパケットの通信をサポート可能としてもよい。さらに、ネットワーク装置１１０とＵＥ１２０との間の通信に利用されるＩＰアドレスは、シングル無線ベアラ、共有無線ベアラ、及び／又は複数の無線ベアラを使用して実装されることができる。
【００４７】
他の態様にしたがって、それぞれのＴＦＴに関連するパケットの通信のためのそれぞれのＩＰアドレスを設定及び利用するために使用されることができる技術例が、図１０のダイヤグラム１０００によって例示される。図１０が例示するように、ＵＥは、初期的に、それぞれのＩＰアドレスの設定のためのリクエストを示す、例えばフラグ（例えば、ＰＣＯオプションとして又は内で提供される）を特定する時間１００２で、関連するネットワーク要素に、ＰＤＮ接続性リクエストメッセージを提出することができる。このリクエストは、時間１００４で、応答され、及び／又は、そうでなければネットワーク要素によって受け付けられ、続いて、ＤＨＣＰは、時間１００６及び１００８で、それぞれにおいて、ＴＥユニット及びＵＥに対応するＩＰアドレスのために初期化することができる。時間１００６−１００８のＤＨＣＰの設定の結果、ネットワーク要素は、それぞれ、時間１０１０及び１０１２で、ＴＥ及びＵＥのＩＰアドレスによって、パケット・トラフィックを送信することができる。ダイヤグラム１０００にさらに示されるように、ネットワーク要素は、ＩＰアドレスに関係なく、ＵＥに対して、すべてのトラフィックを送信するように構成することができる。ネットワーク要素によるパケットの送信において、ＵＥは、ＴＥ ＩＰアドレス及び／又はＵＥ ＩＰアドレスによって、通信されるトラフィックを識別及び区別し、適切な転送を促進することができる。時間１０１０で例示されるある例において、ＵＥは、行き先がＴＥ装置へ定められるように決定されたそれぞれパケットを検査し、外部の転送に加えて又は代えて、いくつかの又はすべてのこのようなパケットをローカルに消費するか決定するように、さらに構成することができる。
【００４８】
図１１を見ると、各種の態様に係る、パケット転送のためのテザリングされる装置１３０を構成するためのシステム１１００が、例示される。システム１１００によって例示されるように、関連するネットワーク装置１１０から通信されるすべてのデータパケットが、初期的に、テザリングされる装置に転送されるように（例えば、ＵＥ１２０でパケットリ・ダイレクション（転送）・モジュール１１２２によって）、ＵＥ１２０は、テザリングされる装置１３０の構成オペレーションに、フィルタ・セットアップ・モジュール２２２を利用できる。例えば、テザリングされる装置１３０のパケット・アナライザ１２６が、ネットワーク装置１１０から受信されたそれぞれのパケットの指定されている宛先を決定するためにそれぞれのＴＦＴフィルタを適用することができるように、フィルタ・セットアップ・モジュール２２２は、テザリングされる装置１３０の１以上のＴＦＴフィルタを構成するために利用することができる。フィルタの適用に基づいて、テザリングされる装置１３０のパケット・フォワーダ１２８は、ローカルのデータシンク１１３２に、テザリングされる装置１３０に関連する内部宛先に指定されるそれぞれのパケットを供給すること、及び／又は、ＵＥ１２０に戻るＵＥ１２０に関連する外部宛先に指定されるそれぞれのパケットを転送するために利用されることができる。この方法においてフィルタを初期化及び使用することによって、ＵＥ１２０が、ＵＥ１２０に関連する１以上のテザリングされる装置１３０に対して、いくつか又はすべてのパケット解析処理をオフロードでき、それによってＵＥ１２０の処理のオーバーヘッドが減少することは、認識されることができる。
【００４９】
図１２−１６を今参照すると、ここに述べられた各種の態様にしたがって実行されることができる方法論が例示される。説明の単純性の目的のために、方法論は、一連の行為おついて示され及び記述されるが、方法論は、１以上の態様にしたがって、いくつかの行為が、異なる順序で、及び／又は、ここに示され及び記述されることからの他の行為と共に、発生可能な場合に、行為の順序によって制限されない。例えば、方法論は、状態ダイヤグラム内のように、一連の相互関係のある状態又はイベントとして二者択一的に表されることができることを、当業者は理解し認識するだろう。さらに、すべての例示される行為が１以上の態様に係る方法論を実装するために要求されるとは限らない。
【００５０】
図１２に関して、ワイヤレス通信システムにおける効率的なパケット区別及び転送を構成するための方法論１２００が例示される。方法論１２００が、例えば、ＵＥ（例えばＵＥ１２０）及び／又は任意の他の適切なネットワーク装置によって実行されることができることは、認識されるだろう。方法論１２００はブロック１２０２で始まり、パケット宛先のセットにおけるそれぞれのパケット宛先（例えばＵＥ１２０に関連する内部宛先及び／又はそれぞれのテザリングされる装置１３０に関連する外部宛先）に関連するＴＦＴは、識別される。次に、ブロック１２０４で、それぞれのパケットに適用されるＴＦＴに基づいて決定されるそれぞれのパケットの宛先に基づいて、それぞれのパケットに対して識別子（例えば、無線ベアラＩＤ、論理チャネルＩＤ、ＩＰアドレスなど）の適用を促進する１以上のフィルタリング・ルールが（例えばフィルタ・セットアップ・モジュール２２２によって）生成される。方法論１２００は、次に、ブロック１２０６で終えることができ、ブロック１２０４で生成された１以上のフィルタリング・ルールが、パケット処理実体（例えば、ネットワーク装置１１０及び／又はテザリングされる装置１３０）に通信される。ある例において、フィルタリング・ルールは、ＰＤＮコンテキスト生成時及び／又は任意の他の適切な方法で提供されるＰＣＯセット内で、ブロック１２０６で通信されることができる。
【００５１】
図１３は、ワイヤレス通信システムにおける効率的なパケット区別及び転送を構成するための他の方法論１３００を例示する。方法論１３００は、例えば、ユーザ装置及び／又は任意の他の適切なネットワーク装置によって実行されることができる。方法論１３００は、ブロック１３０２で始まり、方法論１３００に関連する装置及び／又はテザリングされる装置に関するそれぞれのＴＦＴが識別される。次に、ブロック１３０４で、方法論１３００に関連する装置に行き先を定められたそれぞれのパケットに、無線ベアラの第１のセットの適用と、テザリングされる装置に行き先を定められたそれぞれのパケットに、無線ベアラの第２のセットの適用とを促進する１以上のフィルタリング・ルールが、識別される。ある例において、ブロック１３０４で利用される無線ベアラは、論理チャネル、ＩＰアドレスなどに対応することができる。さらに、ブロック１３０４で利用される無線ベアラは、それぞれの外部パケット宛先(例えば、それぞれのテザリングされる装置に対応する)に関連するＴＥ無線ベアラ、及び／又は、それぞれの内部パケット宛先(例えば、方法論１３００を実行する装置に対応する)に関連するＵＥ無線ベアラを含むことができる。次に、方法論１３００は、ブロック１３０６で終えることができ、ブロック１３０４で識別された１以上のフィルタリング・ルールが、サーブするネットワーク実体に通信される。
【００５２】
図１４を参照すると、ワイヤレス通信システムにおける効率的なパケット区別及び転送を構成するための付加的な方法論１４００が、例示される。方法論１４００が、例えば、モバイル端末及び／又は任意の他の適切なネットワーク装置によって実行されることができることは、認識されるだろう。方法論１４００はブロック１４０２で始まり、内部パケット宛先(例えば、方法論１４００を実行するＵＥ１２０に対応する)、及び／又は、外部パケット宛先(例えば、テザリングされる装置１３０に対応する)に関連するそれぞれのＴＦＴが識別される。ブロック１４０４では、内部パケット宛先に向けられるそれぞれのパケットの転送(例えば、テザリングされる装置１３０のパケット・アナライザ１２６及び／又はパケット・フォワーダ１２８による、パケットの転送)を促進する１以上のフィルタリング・ルールが、生成される。最後に、ブロック１４０６で、ブロック１４０４で生成された１以上のフィルタリング・ルールは、ブロック１４０２で識別された外部パケット宛先に関連するテザリングされる装置に通信されることができる。
【００５３】
図１５は、予め構成されたフィルタリング・ルールのセットにしたがって受信されたパケットを処理するための方法論を例示する。方法論１５００は、例えば、ＵＥ及び／又は任意の他の適切なネットワーク装置によって実行されることができる。方法論１５００は、ブロック１５０２で始まり、パケットの宛先を示す識別子(例えば、ベアラＩＤ、論理チャネルＩＤ、ＩＰアドレスなど)が適用されるパケットが、受信される。特定の例において、ブロック１５０２で受信されたパケットに適用された識別子は、以前に受信された識別子に関する情報に基づいて、ＵＥ無線ベアラ、ＴＥ無線ベアラなどのための識別子になりえる。したがって、例えば、ＵＥ無線ベアラに関する情報は、フラグ、予約されるＱＣＩ、及び／又は、適切なパケット処理実体から受信された情報内で提供される任意の他の適切なインジケータによって得ることができる。
【００５４】
ブロック１５０２で記述される行為を終えると、方法論１５００は、ブロック１５０４に進行することができ、ブロック１５０２で受信されたパケットの宛先が、それらに適用された識別子の少なくとも部分に基づいて識別される。ある例において、パケットが、それぞれの未識別のＴＦＴに関連するデフォルト無線ベアラに関してブロック１５０２で受信される場合、パケットの解析は、パケットの宛先を決定するためにブロック１５０４で実行されることができる。他の例において、パケットの宛先の識別の結果、方法論１５００は終了することができる。あるいは、方法論１５００は、終える前にブロック１５０６に移ることができ、パケットは、パケットの宛先が方法論１５００に関連する装置の内部であることを決めることでローカルに処理される。他の代案として、方法論１５００は、終える前にブロック１５０８に移ることができ、パケットは、パケットの宛先がテザリングされるデバイスであることを決めることでテザリングされる装置へ転送される。
【００５５】
図１６を見ると、複数のパケット宛先へのパケットの送信のためのそれぞれの無線ベアラを設定するための方法論１６００のフロー図が例示される。方法論１６００は、例えば、基地局(例えばネットワーク装置１１０)、及び／又は、任意の他の適切なネットワーク装置によって実行されることができる。方法論１６００ブロック１６０２で始まり、それぞれのＵＥ無線ベアラ又はＴＥ無線ベアラと１以上のＴＦＴとの関連のリクエストが、受信される。ある例において、ＴＦＴ接続のリクエストは、ＰＤＮコンテキスト生成時に提供されるＰＣＯセット内、及び／又は、任意の他の適切なメッセージ内で、ブロック１６０２で受信されることができ、さらに、それぞれのＵＥ無線ベアラ及び／又はＴＥ無線ベアラは、それぞれの論理チャネル、ＩＰアドレスなどに対応することができる。
【００５６】
ブロック１６０２で記述された行為を終えると、方法論１６００は、ブロック１６０４で終えることができ、ブロック１６０４で受信されたリクエストで特定される１以上のＴＦＴが、１以上のＴＦＴに関連するＱｏＣポリシーに関係なく、それぞれのＵＥ無線ベアラ又はＴＥ無線ベアラに(例えばフィルタ構成モジュール２１２によって)マップされる。ある例において、ＴＦＴがブロック１６０４でマップされている無線ベアラは、新しく生成された無線ベアラ、先に存在する無線ベアラなどを含むことができる。付加的に又は代替的に、ブロック１６０４で記述されるように無線ベアラにそれぞれのＴＦＴをマップすることで、方法論１６００を実行する実体は、ここに記述されるような各種の技術にしたがって、それぞれのＴＦＴにマップされたそれぞれのＵＥ無線ベアラ及び／又はＴＥ無線ベアラを応答メッセージを送信することができる。ある態様にしたがって、それぞれのＴＦＴのＱｏＳと無関係のマッピングは、関連する通信システム又は予め定義されるその部分（例えば、許可ＴＦＴリスト２１４によって定義されるような）によって利用される実質的にすべてのＴＦＴに対して実行されることができる。
【００５７】
次に、図１７−１８を参照すると、ここに記述される各種の態様を実装するために利用されることができるそれぞれの装置１７００−１８００が例示される。装置１７００−１８００が機能ブロックを含むように表されていることは、認識されるべきであり、この機能ブロックは、プロセッサ、ソフトウェア、それらの組み合わせ（例えばファームウェア）によって実装される機能を表わす機能的ブロックでありえる。
【００５８】
第１に、図１７を見ると、ワイヤレス通信システムにおけるパケット区別及び転送を促進する装置１７００が例示されている。装置１７００は、ＵＥ（例えばＵＥ１２０）及び／又は他の適切なネットワーク実体によって実装されることができ、それぞれのＴＦＴとパケット宛先装置との間の関連性を識別するためのモジュール１７０２、それぞれのパケットに関連するＴＦＴに基づいてそれぞれの通信されるパケットの宛先装置を示すそれぞれの通信されるパケットの識別子の適用を促進するそれぞれのルールを構成するためのモジュール１７０４を含むことができる。
【００５９】
図１８は、ワイヤレス通信システムにおけるパケット区別及び転送を促進する第２の装置１８００を例示する。装置１８００は、ネットワークパケット処理要素（例えばネットワーク装置１１０）及び／又は他の適切なネットワーク実体によって実装されることができ、それぞれの無線ベアラに１以上のＴＦＴを関連付けるリクエストを識別するためのモジュール１８０２と、それぞれのＴＦＴに関連するシグナル・クオリティ・ポリシーに関係なく、それぞれの無線ベアラに、リクエストにおいて提供されるそれぞれのＴＦＴを関連付けるためのモジュール１８０４とを含むことができる。
【００６０】
図１９を今参照すると、各種の態様に係るワイヤレス・マルチプル・アクセス通信システムの例示が提供される。ある例において、アクセスポイント１９００（ＡＰ）は複数のアンテナグループを含む。図１９に例示されるように、あるアンテナグループはアンテナ１９０４及び１９０６を含むことができ、別のものはアンテナ１９１２及び１９１０を含むことができ、別のものはアンテナ１９１２及び１９１４を含むことができる。各アンテナグループに対して、２つのアンテナだけが図１９に示されているが、より多い又はより少ないアンテナが各アンテナグループに対して利用されてもよいことが認識されるべきである。他の例において、アクセス端末１９１６はアンテナ１９１２及び１９１４と通信し、アンテナ１９１２及び１９１４は、フォワードリンク１９２０を越えてアクセス端末１９１６への情報を送信し、リバースリンク１９１８を越えてアクセス端末１９１６からの情報を受信する。付加的に又は代替的に、アクセス端末１９２２は、アンテナ１９０６及び１９０８と通信し、アンテナ１９０６及び１９０８は、フォワードリンク１９２６を越えてアクセス端末１９２２への情報を送信し、リバースリンク１９２４を越えてアクセス端末１９２２からの情報を受信する。周波数分割デュプレックスシステムでは、通信リンク１９１８、１９２０、１９２４及び１９２６は、通信のために異なる周波数を使用することができる。例えば、フォワードリンク１９２０は、リバースリンク１９１８によって使用されたその時に異なる周波数を使用してもよい。
【００６１】
通信のために設計されているアンテナ及び／又はそのエリアの各グループは、アクセスポイントのセクタとして参照されるとしてもよい。ある態様にしたがって、アンテナグループは、アクセスポイント１９００によってカバーされるエリアのセクタ内のアクセス端末に通信するために設計されることができる。フォワードリンク１９２０及び１９２６に関する通信では、アクセスポイント１９００の送信アンテナは、異なるアクセス端末１９１９及び１９２２のためのフォワードリンクの信号対ノイズ比を改善するためにビームフォーミングを利用することができる。さらに、その適用範囲を通じてランダムに散らされているアクセス端末へ送信するためにビームフォーミングを使用するアクセスポイントは、そのすべてのアクセス端末へ単一のアンテナを通して送信するアクセスポイントより近隣のセルのアクセス端末へより少ない干渉を引き起こす。
【００６２】
例えばアクセスポイント１９００のようなアクセスポイントは、端末と通信するために使用される固定局であるとしてもよく、基地局、ｅＮＢ、アクセスネットワーク、及び／又は他の適切な用語として参照されるとしてもよい。さらに、例えばアクセス端末１９１６又は１９２２のようなアクセスターミナルは、また、モバイル端末、ユーザ機器、ワイヤレス通信装置、端末、無線端末、及び／又は他の適切な用語として参照されるとしてもよい。
【００６３】
図２０を今参照すると、ここに記述された各種の態様が機能することができるワイヤレス通信システムを例示するブロック図が提供される。ある例において、システム２０００は、トランスミッタ・システム２０１０及びレシーバ・システム２０５０を含むマルチ入力マルチ出力（ＭＩＭＯ：multiple-input multiple-output）システムである。しかしながら、トランスミッタ・システム２０１０及び／又はレシーバ・システム２０５０は、マルチ入力シングル出力（multiple-input single-output）システムに適用されることもできることは、認識されるべきである。ここで、例えば、マルチ送信アンテナ（例えば基地局の）は、シングルアンテナ装置（例えば、移動局）に、１以上のシンボルストリームを送信することができる。さらに、ここに記述されるトランスミッタ・システム２０１０及び／又はレシーバ・システム２０５０の態様は、シングル入力アンテナシステムに対して、シングル出力に関して使用されることができることは、認識されるべきである。
【００６４】
ある態様にしたがって、多数のデータストリームのためのトラフィックデータは、データソース２０１２から送信（ＴＸ）データプロセッサ２０１４まで、トランスミッタ・システム２０１０で提供される。ある例において、次に、各データストリームはそれぞれの送信アンテナ２０２４経由で送信されることができる。さらに、ＴＸデータプロセッサ２０１４は、コード化データを提供するために各それぞれのデータストリームに選択された特別のコーディングスキームに基づいた各データストリームのトラフィックデータをフォーマットし、符号化し、インタリーブすることができる。ある例において、各データストリームのコード化データは、その後、ＯＦＤＭ技術を使用して、パイロットデータで多重化されることができる。パイロットデータは、例えば既知の方法で、処理される既知のデータパターンになりえる。さらに、パイロットデータは、チャネル応答を評価するためにレシーバシステム２０５０で使用されることができる。トランスミッタ・システム２０１０に戻り、各データストリームの多重パイロットおよびコード化データは、変調シンボルを提供するために各それぞれのデータストリームに選ばれた特定の変調スキーム(例えばＢＰＳＫ、ＱＳＰＫ、Ｍ−ＰＳＫ、又はＭ−ＱＡＭ)に基づいて、変調(すなわち、信号マップ)されることができる。ある例において、各データストリームのデータレート、コーディング、変調は、プロセッサ２０３０で実行され及び／又はプロセッサ２０３０によって提供される命令によって決定されることができる。
【００６５】
次に、すべてのデータストリームのための変調シンボルは、ＴＸプロセッサ２０２０に提供することができ、それはさらに変調シンボル（例えばＯＦＤＭのための)を処理することができる。次に、ＴＸ ＭＩＭＯプロセッサ２０２０は、ＮT個のトランシーバ２０２２ａ〜２０２２ｔにＮT個の変調シンボルストリームを提供することができる。ある例において、各トランシーバ２０２２は、それぞれのシンボルストリームを受信及び処理し、１以上のアナログ信号を提供する。各トランシーバ２０２２は、次に、さらにアナルグ信号を調節（例えば、増幅、フィルタ、アップコンバート）することができ、ＭＩＭＯチャネルを越える送信に適合する変調された信号を提供する。したがって、次に、トランシーバ２０２２ａ〜２０２２ｔからのＮT個の変調された信号は、それぞれ、ＮT個のアンテナ２０２４ａ〜２０２４ｔから送信されることができる。
【００６６】
他の態様にしたがって、送信された変調された信号は、ＮR個のアンテナ２０５２ａ〜２０５２ｒによってレシーバ・システム２０５０で受信されることができる。各アンテナからの受信された信号は、次に、それぞれのトランシーバ２０５４に提供されることができる。ある例において、各トランシーバ２０５４は、それぞれの受信された信号を調節（例えば、フィルタ、増幅、ダウンコンバート）することができ、サンプルを提供するために調製された信号をデジタル化し、次に、サンプルを処理し、対応する「受信された」シンボルストリームを提供する。ＲＸ ＭＩＭＯ／データプロセッサ２０６０は、次に、特定のレシーバ処理技術に基づいてＮR個のトランシーバ２０５４からＮR個の受信されたシンボルストリームを受信及び処理することができる。ある例において、検出されたシンボルストリームは、対応するデータストリームに対して送信される変調シンボルの推定であるシンボルを含むことができる。ＲＸプロセッサ２０６０は、次に、各検出されたシンボルストリームを復調、デインタリーブ、復号することの少なくとも部分により各シンボルストリームを処理することができ、対応するデータストリームに対してトラフィックデータを回復することができる。したがって、ＲＸプロセッサ２０６０による処理は、トランスミッタ・システム２０１０のＴＸ ＭＩＭＯプロセッサ２０２０及びＴＸデータプロセッサ２０１６によって実行されたことに補足的になりえる。ＲＸプロセッサ２０６０は、さらに、データシンク２０６４に、処理されたシンボルストリームを供給することができる。
【００６７】
ある態様にしたがって、ＲＸプロセッサ２０６０によって生成されたチャネル応答推定は、レシーバでスペース/時間処理を実行、パワーレベルを調整、変換レート又はスキームを変化、及び／又は他の適切なアクションをするために使用されることができる。さらに、ＲＸプロセッサ２０６０は、例えば、検出されたシンボルストリームのＳＮＲ（signal-to-noise-and-interference ratio）のような、チャネル特性をさらに推定することができる。ＲＸプロセッサ２０６０は、次に、プロセッサ２０７０に、推定されたチャネル特性を提供することができる。ある例において、ＲＸプロセッサ２０６０及び／又はプロセッサ２０７０は、さらに、システムに対する「オペレーティング」ＳＮＲの推定を得ることができる。プロセッサ２０７０は、次に、チャネル状態情報（ＣＳＩ）を提供することができ、それは通信リンク及び／又は受信されたデータストリームに関する情報を含むことができる。この情報は、例えば、オペレーティングＳＮＲを含むことができる。ＣＳＩは、次に、ＴＸデータプロセッサ２０１８によって処理され、モジュレータ２０８０によって変調され、トランシーバ２０５４ａ〜２０５４ｒによって調整され、トランスミッタ・システム２０１０に返信されることができる。さらに、レシーバ・システム２０５０のデータソース２０１６は、ＴＸデータプロセッサ２０１８によって処理される付加的データを提供するとしてもよい。
【００６８】
トランスミッタ・システム２０１０に戻り、レシーバ・システム２０５０からの変調された信号は、アンテナ２０２４によって受信され、トランシーバ２０２２によって調整され、デモジュレータ２０４０によって復調され、ＲＸデータプロセッサ２０４２によって処理されることができ、レシーバ・システム２０５０によって報告されるＣＳＩを復元することができる。ある例において、報告されるＣＳＩは、次に、プロセッサ２０３０に提供され、コーディング及び変調スキームに加えてデータレートを決定するために使用されることができ、１以上のデータストリームに使用される。決定されたコーディング及び変調スキームは、次に、量子化及び／又はレシーバ・システム２０５０への後の送信における使用のために、トランシーバ２０２２に提供されることができる。付加的に及び／又は代替的に、報告されるＣＳＩは、ＴＸデータプロセッサ２０１４及びＴＸ ＭＩＭＯプロセッサ２０２０に対する各種の制御を生成するために、プロセッサ２０３０によって使用されることができる。他の例において、ＲＸデータプロセッサ２０４２によって処理されたＣＳＩ及び／又は他の情報は、データシンク２０４４に提供されることができる。
【００６９】
ある例において、トランスミッタ・システム２０１０のプロセッサ２０３０及びレシーバ・システム２０５０のプロセッサ２０７０は、それらのそれぞれのシステムの動作を管理する。さらに、トランスミッタ・システム２０１０のメモリ２０３２及びレシーバ・システム２０５０のメモリ２０７２は、それぞれプロセッサ２０３０及び２０７０によって使用されるプログラムコードとデータのための記憶装置を提供することができる。さらに、レシーバ・システム２０５０では、各種の処理技術は、ＮR個の受信された信号を処理するために使用されることができ、ＮT個の送信されたシンボルストリームを検出することができる。これらのレシーバ処理技術は、空間的及び空間−時間レシーバ処理技術を含むことができ、また、等価の技術、及び／又は、「連続的なヌリング／等化及び干渉除去」レシーバ処理技術として参照されることができ、また、「連続的な干渉キャンセレーション」又は「連続的なキャンセレーション」として参照されることができる。
【００７０】
ここに記述された態様は、ハードウェア、ソフトウェア、ファームウェア、ミドルウェア、マイクロコード、又はそれらの任意の組み合わせによって実装できることは、理解されるだろう。システム及び／又は方法が、ソフトウェア、ファームウェア、ミドルウェア又はマイクロコード、プログラムコード又はコードセグメントで実行される場合、それらは、記憶コンポーネントのような、機械可読媒体に格納することができる。コードセグメント、手順、関数、サブプログラム、プログラム、ルーチン、サブルーチン、モジュール、ソフトウェアパッケージ、クラス、又は命令、データ構造、又はプログラムセグメントの任意の組み合わせを表わされることができる。コードセグメントは、情報、データ、引数、パラメータ、又はメモリ内容を渡す及び／又は受けることによって、他のコードセグメント又はハードウェア回路に連結することができる。情報、引数、パラメータ、データなどは、メモリ共有、メッセージ渡し、トークン渡し、ネットワーク送信を含む任意の適切な手段を使用して、渡される、送られる、送信される、ことができる。
【００７１】
ソフトウェア実装について、ここに記述された技術は、ここに記述された機能を実行するモジュール(例えば手順、関数など)で実装されることができる。ソフトウェアコードは、記憶ユニットに格納され、プロセッサによって実行されることができ、この場合、知られている技術のように、それはプロセッサに対して各種の手段経由で通信可能に連結されることができる。
【００７２】
上に記述されたものは、１以上の態様の例を含む。もちろん、前述の態様を記述する目的のために、コンポーネント又は方法論のすべての考えられる組み合わせについて記述することはできないが、その技術における通常の熟練者のうちの一人は、多くのさらなるコンビネーション及び各種の置換が可能であることを認識することができる。したがって、記述された態様は、添付された請求項の精神及び範囲内にあるような代替、変更及び変化をすべて包含するように意図される。さらに、用語「含む」が詳細な説明又は請求項に使用される限り、そのような用語は、請求項の移行ワードとして使用される場合の「具備する」が解釈されるように、用語「具備する」に類似の仕様を含むことが意図されている。さらに、詳細な説明又は請求項のいずれかで使用されるような用語「又は」は、「非独占的な、又は」であることを意味する。
【図１】
2011530898.tif 000003
【図２】
2011530898.tif 000004
【図３】
2011530898.tif 000005
【図４】
2011530898.tif 000006
【図５】
2011530898.tif 000007
【図６】
2011530898.tif 000008
【図７】
2011530898.tif 000009
【図８】
2011530898.tif 000010
【図９】
2011530898.tif 000011
【図１０】
2011530898.tif 000012
【図１１】
2011530898.tif 000013
【図１２】
2011530898.tif 000014
【図１３】
2011530898.tif 000015
【図１４】
2011530898.tif 000016
【図１５】
2011530898.tif 000017
【図１６】
2011530898.tif 000018
【図１７】
2011530898.tif 000019
【図１８】
2011530898.tif 000020
【図１９】
2011530898.tif 000021
【図２０】
2011530898.tif 000022
【国際調査報告】
2011530898.tif 000023
2011530898.tif 000024